(57)【要約】      （修正有）【課題】ヒップシートの折り畳み動作を操作しやすく、且つ安全性に優れる折り畳み可能抱っこ紐を提供する。【解決手段】抱っこ紐は、シートを含み、シートは、取り外し可能に紐本体に装着されるヒップシートと、ヒップシートに覆設されるライナーを含み、ヒップシートは支持部１０と受け部２０を含み、支持部と受け部は、支持部の両側に設けられる左右２つのスイッチボタンを介して回動接続され、支持接続ベース３３が支持部に固定接続され、受け接続ベース３６が受け部に固定接続され、バネ３１はスイッチ制御ロック３２と受け接続ベースに当接し、スイッチ制御ロック外壁の位置規制片３２１が支持接続ベース内壁の展開位置規制凹溝内に位置するとき、位置規制片は係止されて展開状態となり、位置規制片が折り畳み位置規制凹溝内に位置するとき、位置規制片の斜面と折り畳み位置規制凹溝の斜面が互いに密着して折り畳み状態となる。【選択図】図８
0003224397.tif 000002
【実用新案登録請求の範囲】
【請求項１】
紐本体に接続されるシートを含み、前記シートは、取り外し可能に紐本体に装着されるヒップシートと、ヒップシートに覆設されるライナーを含み、当該ヒップシートは支持部と受け部を含み、前記支持部と受け部は、支持部の両側に設けられる左右２つのスイッチボタンを介して折畳体をなすよう回動接続され、支持接続ベースが支持部に固定接続され、受け接続ベースが受け部に固定接続され、
前記スイッチボタンは接続軸を含み、当該接続軸は、支持接続ベース、スイッチ制御ロック及びバネに順に挿通されたあと、受け接続ベースに固定され、
バネはスイッチ制御ロックと受け接続ベースに当接し、
スイッチボタンはボタン部材を更に含み、当該ボタン部材は移動可能に支持接続ベースに係設され、ボタン部材はスイッチ制御ロックの表面を押圧し、
スイッチ制御ロックの外壁には位置規制片が設けられており、支持接続ベースの内壁には、各位置規制片に対して折り畳み位置規制凹溝及び展開位置規制凹溝が設けられており、
位置規制片が展開位置規制凹溝内に位置するとき、位置規制片は展開位置規制凹溝に係止されて、支持部と受け部が展開状態となり、
位置規制片は斜面を備え、当該斜面が受け接続ベースに面しており、折り畳み位置規制凹溝の壁も斜面を備え、当該斜面がスイッチ制御ロックに面しており、位置規制片が折り畳み位置規制凹溝内に位置するとき、位置規制片の斜面と折り畳み位置規制凹溝の斜面が密着し、支持部と受け部が折り畳み状態となることを特徴とする折り畳み可能抱っこ紐。
【請求項２】
スイッチ制御ロックの外壁には複数の係合溝が設けられており、これに対応して、受け接続ベース内には複数の係合片が設けられており、係合片が係合溝に挿入されることで、スイッチ制御ロックは、左右に弾性移動可能に受け接続ベースに挿接されることを特徴とする請求項１に記載の折り畳み可能抱っこ紐。
【請求項３】
前記ライナーは、少なくとも一方の端部がマジックテープ（登録商標）又はファスナーにより接続されるとともに、他方の端部が、一端が開口したカバー状となっており、２つの端部がそれぞれヒップシートの支持部と受け部に覆設されることを特徴とする請求項１に記載の折り畳み可能抱っこ紐。
【請求項４】
２つの端部の間は、伸縮ベルトのような弾性生地により接続されることを特徴とする請求項３に記載の折り畳み可能抱っこ紐。
【考案の詳細な説明】
【技術分野】
【０００１】
本考案は抱っこ紐に関し、特に、折り畳み可能なヒップシート式抱っこ紐に関する。
【背景技術】
【０００２】
現在、抱っこ紐を使用することで、多くの親が両手で子供を抱かねばならない状況から解放されている。これにより、親の労力が軽減するだけでなく、幼児もまた親との身体的接触が増えることから、大きな安心感を得ることができる。また、親は幼児の様子を随時観察することも可能なため、状況を把握しやすい。現在では、生後６カ月の乳児に適したヒップシート式抱っこ紐の人気が高まっている。図１及び図２に示す従来のヒップシート式抱っこ紐は、背もたれ１の下方に接続されるシート２を含むが、シート２はブロック状のクッション２１から直に構成される。クッション２１は抱っこ紐の本体内に包まれており、シート機能を実現するものの、スペースを占有してしまう。そのため、体積が大きくなり過ぎて携帯しにくく、且つ、抱っこ紐全体の見栄えもよくない。
【０００３】
上記の課題を解決するために、折り畳み可能抱っこ紐も出現している。この種の抱っこ紐のシートは、ライナー内に配設されるヒップシートを含み、ヒップシートが支持部と受け部を含む。支持部と受け部はスイッチボタンを介して折畳体をなすよう回動接続される。折畳体は折り畳めば収納可能であり、且つ、広げてシートとすることもできる。
【０００４】
しかし、現在の構造の折り畳み可能抱っこ紐の折畳体は、展開状態から操作して折り畳む場合、及び、折り畳み状態から操作して展開する場合のいずれであっても、スイッチボタンを押下しなければロックを解除して動かすことができず、操作がやや面倒である。これに対し、大人が乳児を伴う際には、折畳体を迅速に展開できることが一番であり、余分な操作を行うことはやや難しい。
【考案の概要】
【考案が解決しようとする課題】
【０００５】
本考案は、従来技術における欠点を解決し、使用者がヒップシートの折り畳み動作を操作しやすく、且つ安全性に優れる折り畳み可能抱っこ紐を提供する。
【課題を解決するための手段】
【０００６】
本考案では、技術的課題を解決するために以下の技術方案を用いる。
【０００７】
折り畳み可能抱っこ紐であって、紐本体に接続されるシートを含み、前記シートは、取り外し可能に紐本体に装着されるヒップシートと、ヒップシートに覆設されるライナーを含み、当該ヒップシートは支持部と受け部を含み、前記支持部と受け部は、支持部の両側に設けられる左右２つのスイッチボタンを介して折畳体をなすよう回動接続され、支持接続ベースが支持部に固定接続され、受け接続ベースが受け部に固定接続され、前記スイッチボタンは接続軸を含み、当該接続軸は、支持接続ベース、スイッチ制御ロック及びバネに順に挿通されたあと、受け接続ベースに固定され、バネはスイッチ制御ロックと受け接続ベースに当接し、スイッチボタンはボタン部材を更に含み、当該ボタン部材は移動可能に支持接続ベースに係設され、ボタン部材はスイッチ制御ロックの表面を押圧し、スイッチ制御ロックの外壁には位置規制片が設けられており、支持接続ベースの内壁には、各位置規制片に対して折り畳み位置規制凹溝及び展開位置規制凹溝が設けられており、位置規制片が展開位置規制凹溝内に位置するとき、位置規制片は展開位置規制凹溝に係止されて、支持部と受け部が展開状態となり、位置規制片は斜面を備え、当該斜面が受け接続ベースに面しており、折り畳み位置規制凹溝の壁も斜面を備え、当該斜面がスイッチ制御ロックに面しており、位置規制片が折り畳み位置規制凹溝内に位置するとき、位置規制片の斜面と折り畳み位置規制凹溝の斜面が密着し、支持部と受け部が折り畳み状態となることを特徴とする。
【０００８】
スイッチ制御ロックの外壁には複数の係合溝が設けられており、これに対応して、受け接続ベース内には複数の係合片が設けられており、係合片が係合溝に挿入されることで、スイッチ制御ロックは、左右に弾性移動可能に受け接続ベースに挿接される。
【０００９】
前記ライナーは、少なくとも一方の端部がマジックテープ（登録商標）又はファスナーにより接続されるとともに、他方の端部が、一端が開口したカバー状となっており、２つの端部がそれぞれヒップシートの支持部と受け部に覆設される。
【００１０】
２つの端部の間は、伸縮ベルトのような弾性生地により接続される。
【考案の効果】
【００１１】
本考案は、以下の利点を有する。即ち、本考案の抱っこ紐は、折り畳み形状を自在に変更可能なヒップシートを備える。使用時には、ボタン部材に軽く触れればヒップシートを折り畳み可能である。また、ボタン部材に触れなければ、ヒップシートはロックされて自動的に折り畳まれることがないため、安全性を有する。一方、ヒップシートを展開する際にはボタン部材に触れることなく、ヒップシートの支持部と受け部を直接引っ張ればよいため操作しやすい。また、堅固にロックされた支持部と受け部に展延性のライナーを組み合わせることで快適なヒップシートを形成しているため、幼児は大人の胸に抱かれているかのように感じる。本考案によれば、不使用時の収納スペースが大幅に縮小されるため、携帯がより容易となり、使用者に様々な利便性がもたらされる。
【００１２】
以下に、図面と実施例を組み合わせて本考案につき更に説明する。
【図面の簡単な説明】
【００１３】
【図１】図１は、従来技術の抱っこ紐の立体構造を示す図である。
【図２】図２は、従来技術のヒップシートの立体構造を示す図である。
【図３】図３は、本考案の抱っこ紐の立体構造を示す図である。
【図４】図４は、本考案におけるヒップシートの折り畳み状態を正面から見た構造図である。
【図５】図５は、本考案におけるヒップシートの折り畳み状態を側面から見た構造図である。
【図６】図６は、本考案におけるヒップシートの展開状態の立体構造を示す図である。
【図７】図７は、本考案におけるヒップシートの展開状態を正面から見た構造図である。
【図８】図８は、本考案の分解斜視図である。
【図９】図９は、図８のＡ部の拡大図である。
【図１０】図１０は、ヒップシートに対するライナーの覆設を示す図である。
【考案を実施するための形態】
【００１４】
本考案の技術方案をより明確に説明すべく、以下に、記載に要する図面について簡単に説明する。なお、言うまでもなく、以下に記載する図面は本考案の実施例の一部にすぎず、当業者であれば、創造的労働を伴うことなくこれら図面からその他の実施例を取得可能である。
【００１５】
図３に示すように、折り畳み可能抱っこ紐は、肩紐４１に接続される背もたれ４２と、腰紐４３に接続されるシート５０が紐本体４０に設けられている。シート５０は背もたれ４２の下方に接続されている。
【００１６】
前記シート５０は、取り外し可能に紐本体４０に装着されるヒップシートを含む。当該ヒップシートは、支持部１０と受け部２０を含む。前記支持部１０と受け部２０は、スイッチボタン３０を介して折畳体をなすよう回動接続される。前記折畳体がライナー５２内に配設されることで、紐本体４０に装着されるシート５０が形成される。
【００１７】
図４、図５、図６、図７に示すように、ヒップシートは支持部１０と受け部２０を含み、前記支持部１０と受け部２０がスイッチボタン３０を介して回動接続される。
【００１８】
ヒップシートの重量及び体積が十分に小さくなるよう、前記支持部１０と受け部２０は中空の開口リング状をなしている。
【００１９】
図８及び図９に示すように、支持部１０の端部には支持接続ベース３３が固設されており、受け部２０の端部には受け接続ベース３６が固設されている。
【００２０】
支持部１０の両側には、左右２つのスイッチボタン３０Ａ，３０Ｂがそれぞれ設けられている。左右のスイッチボタン３０Ａ，３０Ｂは同時に押下したときにのみ操作が有効となり、左右２つのスイッチボタン３０Ａ，３０Ｂの一方のみを押下しても、他方はロック状態のままであり、操作は無効となる。
【００２１】
スイッチボタン３０は接続軸３４を含む。当該接続軸３４はピンであり、支持接続ベース３３、スイッチ制御ロック３２及びバネ３１、受け接続ベース３６に対し当該ピンを順に挿通する。
【００２２】
他の実施例では、受け接続ベース、スイッチ制御ロック及びバネに対しピンを順に挿通したあと、ネジ接続により支持接続ベースに固定してもよい。
【００２３】
バネ３１は接続軸３４に覆設されて、スイッチ制御ロック３２と受け接続ベース３６に当接する。
【００２４】
受け接続ベース３６は、接続軸３４を軸として回動可能である。
【００２５】
スイッチ制御ロック３２の外壁には複数の係合溝３２３が設けられている。また、これに対応して、受け接続ベース３６内には複数の係合片３６３が設けられている。係合片３６３が係合溝３２３に挿入されることで、スイッチ制御ロック３２は、バネ３１の伸縮方向において左右に弾性移動可能に受け接続ベース３６に挿接される。
【００２６】
スイッチボタン３０は、更にボタン部材３５を含む。当該ボタン部材３５は４つの係合脚３５１を備え、４つの係合脚３５１が移動可能に支持接続ベース３３に挿設される。係合脚３５１の基端に突設されるフック部３５２は、当該ボタン部材３５が支持接続ベース３３から抜け落ちないよう、支持接続ベース３３に係合する。
【００２７】
ボタン部材３５は、支持接続ベース３３に挿通されてスイッチ制御ロック３２の上面を押圧する。ボタン部材３５を押下すると、スイッチ制御ロック３２が受け接続ベース３６方向に向かって運動し、バネ３１が圧縮される。一方、ボタン部材３５を解放すると、バネ３１はスイッチ制御ロック３２を位置復帰させる。
【００２８】
スイッチ制御ロック３２の外壁には位置規制片３２１が設けられており、支持接続ベース３３の内壁には、各位置規制片に対応して、それぞれ折り畳み位置規制凹溝３３１及び展開位置規制凹溝３３２という２つの位置規制凹溝が設けられている。
【００２９】
位置規制片３２１が展開位置規制凹溝３３２内に位置するとき、位置規制片３２１は展開位置規制凹溝３３２に係止される。これにより、図６及び図７に示すように、支持部１０と受け部２０が一定の夾角をなす展開状態となり、支持接続ベース３３と受け接続ベース３６が相対的に回動不可能となる。
【００３０】
ボタン部材３５を押下すると、スイッチ制御ロック３２が受け接続ベース３６方向に向かって運動し、位置規制片３２１が展開位置規制凹溝３３２から離脱する。これにより、使用者は支持部１０と受け部２０を掴んで相対的に回動させられるようになる。そして、位置規制片３２１が折り畳み位置規制凹溝３３１の位置まで回動すると、バネ３１が位置復帰して、位置規制片３２１を折り畳み位置規制凹溝３３１に押し込む。これにより、支持部１０と受け部２０は折り畳み状態となる。
【００３１】
支持部１０と受け部２０を展開状態から折り畳み状態へ変更するには、使用者が２つのスイッチボタン３０のボタン部材３５を同時に押下しなければ実現されない。そのため、乳児の体重や外力によって支持部１０と受け部２０が想定外に折り畳まれ、危険が生じるとの事態が回避される。
【００３２】
位置規制片３２１は斜面３２１１を備え、当該斜面３２１１が受け接続ベース３６に面している。また、折り畳み位置規制凹溝３３１の壁も斜面３３１１を備えており、当該斜面３３１１がスイッチ制御ロック３２に面している。位置規制片３２１が折り畳み位置規制凹溝３３１内に位置するとき、図４及び図５に示すように、支持部１０と受け部２０は折り畳み状態となる。このとき、斜面３２１１と斜面３３１１が密着する。
【００３３】
支持部１０と受け部２０に力をかけて折り曲げると、支持接続ベース３３と受け接続ベース３６の双方が互いに回動する引っ張り力を受ける。引っ張り力は斜面３３１１から斜面３２１１に伝わり、斜面３２１１と斜面３３１１が相対的に摺動する。これにより、スイッチ制御ロック３２がバネ３１を圧縮し、スイッチ制御ロック３２の位置規制片３２１が折り畳み位置規制凹溝３３１から離脱するまで、受け接続ベース３６方向に運動する。すると、支持接続ベース３３と受け接続ベース３６の双方が相対的に回動を開始し、位置規制片３２１が展開位置規制凹溝３３２に対応する位置まで回動する。そして、バネ３１が位置規制片３２１を位置規制凹溝３３２内に押し込むことで、前記位置規制片３２１が展開位置規制凹溝３３２に係止されて、支持部１０と受け部２０が一定の夾角をなす展開状態となる。
【００３４】
よって、本考案では、支持部１０と受け部２０を折り畳み状態から展開状態とする際にはボタン部材３５を押下する必要がなく、直接引っ張ればよいため操作しやすい。これにより、乳児を伴う場合にヒップシートを素早く展開することが可能である。
【００３５】
図１０に示すように、ヒップシートの支持部１０と受け部２０はライナー５２内に配設される。ライナー５２は、乳児を上面に座らせやすいようシート面を形成するため、乳児に対し十分な支持面積と支持力が提供される。
【００３６】
前記ライナー５２は、少なくとも一方の端部５３がマジックテープ（登録商標）又はファスナー５４により接続されるため、受け部２０を端部５３に配設しやすい。また、他方の端部５５は、支持部１０を端部５５に配設しやすいよう、一端が開口したカバー状となっている。２つの端部の間は、弾性及び展延性を有するよう、伸縮ベルト５６のような弾性生地により接続されている。
【００３７】
支持部１０に覆設される端部５５の裏地にはマットが設けられ、乳児が座れるよう一定硬度の構造を形成する。
【００３８】
本明細書の各実施例は漸次的に記載しており、各実施例では他の実施例との違いを重点的に説明している。各実施例間の同一及び類似の部分については互いを参照すればよい。開示した実施例についての上記説明より、当業者は本考案を実現又は使用可能である。これら実施例についての様々な変更は当業者にとって自明である。また、本文中で定義した一般原理は、本考案の精神又は範囲を逸脱しないことを前提に他の実施例においても実現可能である。よって、本考案は本文中で提示した上記の実施例に限らず、本文中で開示した原理及び新規な特性と一致する最大限の範囲を満たすものとする。
【図１】
0003224397.tif 000003
【図２】
0003224397.tif 000004
【図３】
0003224397.tif 000005
【図４】
0003224397.tif 000006
【図５】
0003224397.tif 000007
【図６】
0003224397.tif 000008
【図７】
0003224397.tif 000009
【図８】
0003224397.tif 000010
【図９】
0003224397.tif 000011
【図１０】
0003224397.tif 000012
【手続補正書】
【提出日】令和1年10月23日(2019.10.23)
【手続補正１】
【補正対象書類名】実用新案登録請求の範囲
【補正対象項目名】全文
【補正方法】変更
【補正の内容】
【実用新案登録請求の範囲】
【請求項１】
紐本体に接続されるシートを含み、前記シートは、取り外し可能に紐本体に装着されるヒップシートと、ヒップシートに覆設されるライナーを含み、当該ヒップシートは支持部と受け部を含み、前記支持部と受け部は、支持部の両側に設けられる左右２つのスイッチボタンを介して折畳体をなすよう回動接続され、支持接続ベースが支持部に固定接続され、受け接続ベースが受け部に固定接続され、
前記スイッチボタンは接続軸を含み、当該接続軸は、支持接続ベース、スイッチ制御ロック及びバネに順に挿通されたあと、受け接続ベースに固定され、
バネはスイッチ制御ロックと受け接続ベースに当接し、
スイッチボタンはボタン部材を更に含み、当該ボタン部材は移動可能に支持接続ベースに係設され、ボタン部材はスイッチ制御ロックの表面を押圧し、
スイッチ制御ロックの外壁には位置規制片が設けられており、支持接続ベースの内壁には、各位置規制片に対して折り畳み位置規制凹溝及び展開位置規制凹溝が設けられており、
位置規制片が展開位置規制凹溝内に位置するとき、位置規制片は展開位置規制凹溝に係止されて、支持部と受け部が展開状態となり、
位置規制片は斜面を備え、当該斜面が受け接続ベースに面しており、折り畳み位置規制凹溝の壁も斜面を備え、当該斜面がスイッチ制御ロックに面しており、位置規制片が折り畳み位置規制凹溝内に位置するとき、位置規制片の斜面と折り畳み位置規制凹溝の斜面が密着し、支持部と受け部が折り畳み状態となることを特徴とする折り畳み可能抱っこ紐。
【請求項２】
スイッチ制御ロックの外壁には複数の係合溝が設けられており、これに対応して、受け接続ベース内には複数の係合片が設けられており、係合片が係合溝に挿入されることで、スイッチ制御ロックは、左右に弾性移動可能に受け接続ベースに挿接されることを特徴とする請求項１に記載の折り畳み可能抱っこ紐。
【請求項３】
前記ライナーは、少なくとも一方の端部が面ファスナー又は線ファスナーにより接続されるとともに、他方の端部が、一端が開口したカバー状となっており、２つの端部がそれぞれヒップシートの支持部と受け部に覆設されることを特徴とする請求項１に記載の折り畳み可能抱っこ紐。
【請求項４】
２つの端部の間は、伸縮ベルトのような弾性生地により接続されることを特徴とする請求項３に記載の折り畳み可能抱っこ紐。